(57)【要約】【課題】電池の取り出し作業を容易にできる電池収容装置を提供する。【解決手段】樹脂ケースからなる電池ホルダ６は、コイン電池３の電池下面３ｂを上方に押圧する第１の接続端子１０ａと、電池側面３ａを押圧する第２の接続端子１０ｂと、コイン電池３の上面を押さえる保持部材１１等を備えている。電池カバー１５は、閉塞時に第２の接続端子１０ｂと反対側で電池側面３ａの近傍に挿入される突起部１９を備えている。電池カバー１５を開ける動作により、突起部１９がコイン電池３を面方向にスライドさせて保持部材１１から離脱させ、第１、第２の接続端子１０ａ、１０ｂのバネ圧によりコイン電池３をポップアップさせる。【選択図】図７
2008147098.tif 000002
【特許請求の範囲】
【請求項１】
扁平形電池を収容するための電池収容部と、前記電池収容部の上部開口を閉塞するための蓋と、前記電池収容部の底部に配設され、前記扁平形電池の下面に押圧される第１の接続端子と、前記電池収容部の側壁に配設され、前記扁平形電池の側面に押圧される第２の接続端子と、前記扁平形電池の上面を押さえて前記電池収容部に固定するための保持部材と、前記蓋の下面から突出し、前記蓋の閉塞時に前記第２の接続端子の反対側で前記扁平形電池の側面に対峙するように配設された突起部と、を備え、前記蓋を開ける動作によって、前記突起部が前記扁平形電池を面方向に移動させ、前記保持部材から離脱させるように構成したことを特徴とする電池収容装置。
【請求項２】
前記扁平形電池の上下動を抑止するように、前記蓋と一体的に形成された電池押さえ部材を備えていることを特徴とする請求項１記載の電池収容装置。
【発明の詳細な説明】
【技術分野】
【０００１】
本発明は、電源供給用としてコイン型電池等の扁平形電池を用いる電子機器の電池収容装置に関するものである。
【背景技術】
【０００２】
近年、車のキーレスエントリーや携帯端末と認証を行う小型認証機器等の小形電子機器が普及してきている。これらには電源としてコイン電池が用いられており、コイン電池には端子に安定的に接触、保持するための電池収容部としての電池ホルダが必要となる。そのような電池ホルダの構造として、例えば特許文献１に示されているように、底部と側壁が一体化された樹脂ケースで電池の側周面を押さえ、底部と側壁にそれぞれ接続端子を取り付けた構成が知られている。また、特許文献１では、ホルダの突出部により上下方向の動きも抑えられるものが開示されている。これにより、小型電子機器に落下等による衝撃を与えた場合の電池の飛び出しを抑えることもできる。しかし、一般的にこうした電池ホルダは、コイン電池を比較的装着しやすいものの、取り外し時の操作性が悪く、ドライバー等の工具を用意しなければならない。
【０００３】
これに対して、特許文献２では、コイン電池交換時の作業性を向上させるために、小型電子機器の下ケースに取り付けられるコイン電池カバーと一体的に形成した電池取り外し部を、コイン電池を取り外す工具として利用するように構成したものが開示されている。また、特許文献３では、コイン型電池を覆う電池カバーにコイン型電池を吸着させる吸盤を設けたものが開示されている。
【特許文献１】実公平６−４４０２０号公報
【特許文献２】特開平９−１８０６９４号公報
【特許文献３】特開平１１−１０２６７８号公報
【発明の開示】
【発明が解決しようとする課題】
【０００４】
しかしながら、特許文献２に開示された構成では、特殊な工具が必要ないものの、電池カバーを取り外した後にさらにその一部分である電池取り外し部を使ってコイン電池を取り外すという手順を踏む必要がある。加えて、このように電池カバーの一部を電池取り外し部として電池を外す場合は、その箇所および操作方法を使用者に示すための指示ラベル等を電池カバーに貼ったり、取扱説明書に記載しておく必要もある。
【０００５】
また、特許文献３に開示された構成では、電池が上下方向を電池ホルダの爪でロックされている場合は吸盤で取り外すことはできない。
【０００６】
特許文献１に記載された構成では、前述の問題点の他に、上下の動きを押さえる電池ホルダの突出部が落下等の衝撃時に電池で押されて折れるという未解決の課題がある。
【０００７】
本発明は、ドライバー等の工具を用いることなく扁平形電池の取り外し作業が容易であって、扁平形電池の飛び出し等も防ぐことができる電池収容装置を提供することを目的とするものである。
【課題を解決するための手段】
【０００８】
本発明の電池収容装置は、扁平形電池を収容するための電池収容部と、前記電池収容部の上部開口を閉塞するための蓋と、前記電池収容部の底部に配設され、前記扁平形電池の下面に押圧される第１の接続端子と、前記電池収容部の側壁に配設され、前記扁平形電池の側面に押圧される第２の接続端子と、前記扁平形電池の上面を押さえて前記電池収容部に固定するための保持部材と、前記蓋の下面から突出し、前記蓋の閉塞時に前記第２の接続端子の反対側で前記扁平形電池の側面に対峙するように配設された突起部と、を備え、前記蓋を開ける動作によって、前記突起部が前記扁平形電池を面方向に移動させ、前記保持部材から離脱させるように構成したことを特徴とする。
【発明の効果】
【０００９】
電池収容部の蓋を開ける動作だけで、電池収容部の保持部材から扁平形電池を離脱させ、扁平形電池を取り出すことができるため、電池交換時の作業性を大幅に向上させることができる。
【００１０】
普段ユーザーが持ち歩かないドライバー等の工具を用意したり、ユーザーの爪等を使わせる必要がなく、ユーザーに取り外し方法を指示するラベル等も不要となる。さらには、取り出し専用のバネ等も不要であるために構造が簡単化される。
【００１１】
また、落下衝撃等による扁平形電池の上方への動きを押さえる電池押さえ部材を付加することで、扁平形電池の飛び出しを抑止するとともに、蓋や突起部の強度を補強することができる。
【発明を実施するための最良の形態】
【００１２】
本発明を実施するための最良の形態を図面に基づいて説明する。
【００１３】
図１および図２は、一実施形態による電池収容装置１を備えた小型認証装置２を示す斜視図および裏面図である。小型認証装置２は、例えば、赤外線通信でＩＤ番号を不図示の携帯端末本体に送信して認証を行うものであり、図３に示す扁平形電池であるコイン電池３によって電源が供給される。
【００１４】
図１から図３に示すように、小型認証装置２は筐体４で覆われており、その内部に制御基板５を設けている。この制御基板５には、電池収容部を構成する電池ホルダ６が基板面に水平に実装されている。この電池ホルダ６は、コイン電池３を収容して保持させるためのものであり、底部と側壁とが一体に形成された樹脂ケースからなる。また、電池ホルダ６の底部には弾性を有しマイナス側の電極である第１の接続端子１０ａが装着され、制御基板５へと接続される。同様に、電池ホルダ６の側壁６ａの一部には弾性を有しプラス側の電極である第２の接続端子１０ｂが装着され、制御基板５へと接続される。電池ホルダ６に装着されたコイン電池３は、第２の接続端子１０ｂのバネ圧により電池側面３ａが押圧され、その反対側の電池ホルダ６の側壁６ａとで挟まれて水平方向が固定される。さらに、第１の接続端子１０ａが電池下面３ｂに押圧され、電池ホルダ６の側壁６ａの上端から突出する保持部材１１、１２との間で挟まれてコイン電池３の垂直方向が固定される。また、第２の接続端子１０ｂの両側には、爪部材１３、１４が配設され、これらにより、コイン電池３は安定的な導通が得られることになる。
【００１５】
図４に示すように、小型認証装置２は電池収容装置１を開閉可能に覆う蓋である電池カバー１５を備え、電源を供給しているコイン電池３の容量が少なくなってきた場合に電池カバー１５を開けて交換する。この際、小型認証装置２のユーザーがドライバー等の工具をあらかじめ用意することなく、図５に示すように、硬貨１６を使って開閉できるようにするための開閉溝１７を、筐体４の端面に備えている。
【００１６】
図６に示すように、電池カバー１５は上下方向に筐体４に対して開閉動作を行うものであり、両端に変形可能な係止部１８を備え、電池カバー１５が手では容易に開けられない程度の強度を保ち、硬貨１６を使ってこじ開けることができるように構成される。さらに、電池カバー１５は下面から突出する突起部１９を備えている。この突起部１９は、電池カバー１５を閉じる時には、コイン電池３と電池ホルダ６の側壁６ａの間に形成される隙間部２０に挿入され、第２の接続端子１０ｂの反対側で電池側面３ａに対峙する。また、電池カバー１５の突起部１９と一体的に設けられた電池押さえ部材であるリブ２１が、電池カバー１５を閉じた際にコイン電池３の上面と近接するような高さで設けられている。リブ２１により、小型認証装置２の落下等で大きな衝撃が加わった際に、コイン電池３の上下動を抑えて、保持部材１１、１２や爪部材１３、１４を破壊して飛び出すようなことを防ぐものである。また、リブ２１を一体的に設けることで、電池カバー１５や突起部１９の強度を補強することもできる。
【００１７】
次に、図７の（ａ）〜（ｃ）を用いて電池収容装置１の電池交換作業を説明する。
【００１８】
まず、ユーザーは電池容量が少なくなった古い扁平形電池３を取り出すために、図７の（ａ）に示すように硬貨１６を電池収容装置１の開閉溝１７に挿入し、矢印方向に力を加えて、電池カバー１５を開放させる。それにより、電池カバー１５の開閉溝側の係止部１８が変形して係合が解除され、電池カバー１５を開けられる。そして、係合が解除された側から電池カバー１５が開かれるので、図７の（ｂ）の矢印方向に電池カバー１５が回転され、電池ホルダ６の隙間部２０に挿入されている電池カバー１５の突起部１９が、コイン電池３を面方向に変位させる。すなわち、突起部１９がコイン電池３の電池側側面３ａと干渉し、コイン電池３は、突起部１９からの負荷により電池ホルダ６の第２の接続端子１０ｂの弾性力に抗して図示右方向（面方向）に移動する。そして、保持部材１１、１２の係合が外れた時点で第１の接続端子１０ａのバネ圧による上向きの荷重により、図８に示すように、コイン電池が３が保持部材１１、１２から離脱した状態になる。
【００１９】
さらには、図７の（ｃ）に示すように第２の接続端子１０ｂのバネ圧による横方向の荷重が加わって斜め上方に押し出される。これにより、コイン電池３は電池ホルダ６から取り出せる状態となる。
【００２０】
ユーザーが新しいコイン電池を電池ホルダ６に装着する際は、電池カバー１５を電池収容装置１に対して上から閉塞することになるが、その際に両端の係止部１８が内側に変形しながら閉じられ、完全に閉じた際に係合される。突起部１９は、電池収容装置１の筐体１４の周壁面２３で電池カバー１５の位置が決められるので、自ずと電池ホルダ６の隙間部２０に挿入されることになる。
【００２１】
電池収容装置１の防水構造を構成するシール手段としては、Ｏ−リング等のカバーパッキン２４を電池カバー１５の周囲に嵌め込む（図４参照）。電池カバー１５を閉塞するときに筐体４の周壁面２３とカバーパッキン２４が狭持圧接され、これにより、カバーパッキン２４を押さえつける方向が電池カバー１５を閉じる方向と直交する方向（ラジアル方向）となる。このため、カバーパッキン２４を上から押し付けるシール構造のようにパッキンの反力から電池カバー３が浮いてシール性を損なうといったことを防ぐことができる。このようなシール構造も上記の電池取り出し機構を備えたまま達成できる。
【図面の簡単な説明】
【００２２】
【図１】一実施形態による電池収容装置を示す斜視図である。
【図２】図１の装置の裏面側を示す平面図である。
【図３】図１の装置の内部構造を示す斜視図である。
【図４】図１の装置の電池カバーのみを示す斜視図である。
【図５】図１の装置を、図２のＡ−Ａ線に沿ってとった断面で示す断面図である。
【図６】電池カバーを取り付ける前の状態を示す断面図である。
【図７】コイン電池の取り外し動作を説明する工程図である。
【図８】コイン電池が電池ホルダの保持部材から外れた状態を示す斜視図である。
【符号の説明】
【００２３】
１    電池収容装置
２    小型認証装置
３    コイン電池
３ａ    電池側面
３ｂ    電池下面
４    筐体
５    制御基板
６    電池ホルダ
６ａ    側壁
１０ａ    第１の接続端子
１０ｂ    第２の接続端子
１１、１２    保持部材
１３、１４    爪部材
１５    電池カバー
１６    硬貨
１７    開閉溝
１８    係止部
１９    突起部
２０    隙間部
２１    リブ
２３    周壁面
２４    カバーパッキン
【図１】
2008147098.tif 000003
【図２】
2008147098.tif 000004
【図３】
2008147098.tif 000005
【図４】
2008147098.tif 000006
【図５】
2008147098.tif 000007
【図６】
2008147098.tif 000008
【図７】
2008147098.tif 000009
【図８】
2008147098.tif 000010